(57)【要約】      （修正有）【課題】製造が比較的容易で、かつ、欠損の発生が抑制できるコンクリート製防草ブロックを提供する。【解決手段】ブロックは、舗装構造物に対する突き当て面として機能する少なくとも一つの側面を有し、該側面は、ブロックの設置姿勢における該側面の上端部付近から下向きに延びる側面部分である上方側面部分１１と、該側面の下端部付近から上向きに延びる側面部分である下方側面部分１２とを有する。前記側面には、上方向を向く段差面７０が備えられる。段差面７０は、上方側面部分１１の下端部から略水平方向に延びる第１略水平部分７１と、第１略水平部分７１の、上方側面部分１１とは反対側の端部から斜め上方向へ延びる斜面部分７２と、斜面部分７２の、第１略水平部分７１とは反対側の端部から略水平方向に延び、下方側面部分１２の上端部に接続する第２略水平部分７３とを備える。【選択図】図１
0003182345.tif 000002
【実用新案登録請求の範囲】
【請求項１】
ブロックであって、
舗装構造物に対する突き当て面として機能する少なくとも一つの側面を有し、
前記側面は、前記ブロックの設置姿勢における該側面の上端部付近から下向きに延びる側面部分である上方側面部分と、該設置姿勢における該側面の下端部付近から上向きに延びる側面部分である下方側面部分とを有し、
前記側面には、前記設置姿勢において上方向を向く段差面が備えられ、
前記段差面は、前記設置姿勢において、前記上方側面部分の下端部から略水平方向に延びる第１略水平部分と、該第１略水平部分の、前記上方側面部分とは反対側の端部から斜め上方向へ延びる斜面部分と、該斜面部分の、前記第１略水平部分とは反対側の端部から略水平方向に延び、前記下方側面部分の上端部に接続する第２略水平部分とを備える、ことを特徴とするブロック。
【請求項２】
前記ブロックの設置姿勢において、前記上方側面部分が勾配を有する、ことを特徴とする請求項１に記載のブロック。
【請求項３】
前記設置姿勢において前記斜面部分が鉛直方向となす角度は２度から７５度の範囲内である、ことを特徴とする請求項１または請求項２に記載のブロック。
【請求項４】
前記段差面は、その一部において前記斜面部分、及び、前記第２略水平部分を欠くことにより、前記第１略水平部分と前記下方側面部分の両方に直接連続する水抜き面を有する、ことを特徴とする請求項１〜３のいずれか一項に記載のブロック。
【請求項５】
前記水抜き面は、前記ブロックの設置姿勢において、前記第１略水平部分の側から前記下方側面部分の側へ向かう方向に下る勾配を有する、ことを特徴とする請求項４に記載のブロック。
【考案の詳細な説明】
【技術分野】
【０００１】
本考案は防草機能を有するコンクリート製ブロックに関する。
【背景技術】
【０００２】
一般的に、道路において、車道と歩道の間や車道と中央分離帯の間には、それらの境界を仕切るコンクリート製の境界ブロックが設置されている。そのような道路の施工方法としては、先に設置した境界ブロックの側面に、コンクリートやアスファルトコンクリート等の舗装材を打設し、乾燥硬化させることにより車道又は歩道を形成する方法が取られる。この場合、コンクリートやアスファルトコンクリート等の舗装構造物が経年により乾燥収縮するなどして、舗装構造物と境界ブロックとの間に鉛直方向の隙間が発生することがある。
【０００３】
そのような隙間から土、埃、或いは雨水や雑草の種子が入り込み、雑草が繁茂する場合がある。そうした雑草を放置すると、その成長に伴って景観が悪化し、更には、成長した雑草が運転者や歩行者の視界を遮ったり、道路や車道側へはみ出したりすることで、交通の安全性を著しく低下させるという問題を生じ得る。そのため、定期的に雑草を除去する作業が必要となり、作業そのものが危険であるとともに膨大な作業コストが発生する。
【０００４】
舗装構造物と境界ブロックとの隙間からの雑草の繁茂を抑制する効果（即ち、防草効果）を狙った境界ブロックが、種々提案されている。図９（Ａ）に断面図にて示すものは、境界ブロック５００の舗装構造物側（図示左側）の側面の上端付近を切欠いて棚部５０１とし、当該棚部５０１の横断面形状を、略Ｖ字状としたものである（例えば、特許文献１参照）。図９（Ｂ）に示すものは、境界ブロック６００の側面に設けた棚部６０１の横断面形状を尖頭形状に形成したものである（例えば、特許文献２参照）。図９（Ｃ）の境界ブロック７００は、棚部７０１に、略矩形凸形状の断面を有する帯状体７０２を設けたものである（例えば、特許文献３参照）。
【０００５】
これらの境界ブロック５００、６００、７００はいずれも、雑草（植物）の根の持つ正の屈地性を利用して、雑草の成長を抑制することを狙ったものである。即ち、棚部より上の、舗装構造物と境界ブロックとの隙間で発生した雑草の根は、そこから境界ブロックの側面に沿って下向きに伸長する。その場合に、図９（Ａ）、（Ｂ）に示す棚部５０１、６０１のＶ字形状や尖頭形状の上りの傾斜面によって根の伸長方向が上向きへと変えられたり、図９（Ｃ）に示す略垂直に立ち上がる帯状体７０２の側面によって根の伸長が遮断されたりする。その時、根は正の屈地性のため上方向へ伸長を続けることができず、根が成長できずに枯れてしまう。
【先行技術文献】
【特許文献】
【０００６】
【特許文献１】特許第３９００５００号公報
【特許文献２】意匠登録第１３９６８０３号公報
【特許文献３】特開平１１−１３１９９号公報
【特許文献４】特許第３６９８２６５号公報
【考案の概要】
【考案が解決しようとする課題】
【０００７】
しかしながら、境界ブロックの製品長さは、短いもので６０ｃｍ、或いは、１ｍ、２ｍであり、図９（Ａ）の境界ブロック５００は、棚部５０１の先端側（図示左側）の横断面形状が鋭角となっている。そのため、ブロック５００の製造、運搬、或いは、境界ブロックの天端までアスファルト等の転圧をする際、当該鋭角部分が欠損を生じ易く、根の進路を上向きに変える目的が失われてしまう。一方、図９（Ｂ）の境界ブロック６００は棚部６０１の上面の横断面形状が鋭角的な尖頭形状となっているため、やはりこの部分において欠損を生じ易い。一方、図９（Ｃ）の境界ブロック７００には、その棚部７０１において鋭角的な部分は存在しない。しかしながら、略矩形凸形状の断面を有する帯状部７０２の両側面は略垂直に立ち上がる面として形成されており、ブロックの脱型時の抜き勾配が無いため、製造が極端に難しい。なお、防草構造物に関するその他の先行技術文献として、特許文献４に記載のものは、図９（Ａ）、（Ｂ）、（Ｃ）に示すブロック以上に境界ブロックの根の勾配形状が複雑で、境界ブロックの脱型時の抜き勾配が無く、製造が極端に難しく欠損しやすいので、これも参照されたい。
【０００８】
そこで、本考案の目的は、製造が比較的容易であり、かつ、欠損の発生が抑制できるコンクリート製防草ブロックを提供することにある。
【課題を解決するための手段】
【０００９】
本考案の第１の局面に係るブロックは、
舗装構造物に対する突き当て面として機能する少なくとも一つの側面を有し、
前記側面は、前記ブロックの設置姿勢における該側面の上端部付近から下向きに延びる側面部分である上方側面部分と、該設置姿勢における該側面の下端部付近から上向きに延びる側面部分である下方側面部分とを有し、
前記側面には、前記設置姿勢において上方向を向く段差面が備えられ、
前記段差面は、前記設置姿勢において、前記上方側面部分の下端部から略水平方向に延びる第１略水平部分と、該第１略水平部分の、前記上方側面部分とは反対側の端部から斜め上方向へ延びる斜面部分と、該斜面部分の、前記第１略水平部分とは反対側の端部から略水平方向に延び、前記下方側面部分の上端部に接続する第２略水平部分とを備える、ことを特徴とするブロックである。
【００１０】
このような構成とすることにより、たとえ舗装構造物と上方側面部分の間に隙間が発生し、発生した隙間に雑草の種子や雨水等が入り込み、種子から根が発生し、根が上方側面部分から第１略水平部分に沿って成長したとしても、斜面部分が第１略水平部分との境界から斜め上方にせり上がっているため、当該境界より上方向への根の伸長が抑制され、結果として、雑草の成長を効果的に抑制し、枯死させることができる。しかも、段差面に鋭角的な断面部分が存在しないことから、欠損の発生を抑制することができ、更には、段差面に脱型時の抜き勾配があり製造が明らかに容易である。
【００１１】
本考案の第２の局面によるブロックは、前記ブロックの設置姿勢において、前記上方側面部分が勾配を有する。
このような構成とすることにより、ブロック製造時の抜き勾配を上方側面部分にも備えることができるため、よりスムーズな脱型が可能となる。
【００１２】
本考案の第３の局面に係るブロックは、前記設置姿勢において前記斜面部分が鉛直方向となす角度が２度から７５度の範囲内となるように構成されている。
このような角度とすることで、製造工程において型枠から抜き出し易いために製造が比較的容易であり、かつ、設置後には防草効果を好適に発揮することができる。
【００１３】
本考案の第４の局面に係るブロックにおいては、前記段差面は、その一部において前記斜面部分、及び、前記第２略水平部分を欠くことにより、前記第１略水平部分と前記下方側面部分の両方に直接連続する水抜き面を有する。
舗装構造物と上方側面部分の間に隙間が発生し、その隙間から雨水が浸入した場合、上方側面部分と、第１略水平部分と、斜面部分とが形成する凹部に雨水が滞留し、雑草の根の発生や成長を助長してしまう可能性がある。そこで、上記第４の局面によるブロックは、段差面の一部において、斜面部分及び第２略水平部分に代えて水抜き面を備えることから、水抜き面を介して雨水の排水を促し、雨水の滞留を抑制することができる。結果として、高い防草効果を奏し得る。
【００１４】
本考案の第５の局面に係るブロックにおいては、前記水抜き面は、前記ブロックの設置姿勢において、前記第１略水平部分の側から前記下方側面部分の側へ向かう方向に下る勾配を有する。
このような構成とすることにより、より雨水の排水を促し、雨水の滞留を抑制することができる。結果として、高い防草効果を奏し得る。
【図面の簡単な説明】
【００１５】
【図１】図１は、本考案の第１実施形態に係る境界ブロックを表す概略図であり、図１（Ａ）は正面図、図１（Ｂ）は図１（Ａ）の境界ブロックを矢印ＩＢの方向に見た平面図、図１（Ｃ）は図１（Ａ）の境界ブロックを一点鎖線ＩＣ−ＩＣに沿って表した断面図、図１（Ｄ）は図１（Ｃ）中の領域ＩＤを拡大して表す拡大断面図である。
【図２】図２は、本考案の第２実施形態に係る境界ブロックを表す概略図であり、図２（Ａ）は断面図、図２（Ｂ）は図２（Ａ）中の領域ＩＩＢを拡大して表す拡大断面図である。
【図３】図３は、本考案の各実施形態の変形例としての側溝ブロックを示す概略図であり、図３（Ａ）は断面図、図３（Ｂ）は図３（Ａ）中の領域ＩＩＩＢを拡大して表す拡大断面図である。
【図４】図４は、本考案の各実施形態の別の変形例としての擁壁ブロックを示す概略図であり、図４（Ａ）は設置状態における断面図、図４（Ｂ）は図４（Ａ）中の領域ＩＶＢを拡大して表す拡大断面図である。
【図５】図５は、本考案の各実施形態の更に別の変形例としての擁壁ブロックを示す概略図であり、図５（Ａ）は設置状態における断面図、図５（Ｂ）は図５（Ａ）中の領域ＶＢを拡大して表す拡大断面図である。
【図６】図６は、本考案の第３実施形態に係る境界ブロックを示す概略図であり、図６（Ａ）は正面図、図６（Ｂ）は図６（Ａ）の境界ブロックを矢印ＶＩＢの方向に見た平面図、図６（Ｃ）は図６（Ａ）の境界ブロックを矢印ＶＩＣの方向に見た側面図、図６（Ｄ）は図６（Ｃ）中の領域ＶＩＤを拡大して示す拡大図である。
【図７】図７は、第３実施形態の境界ブロックの一部を拡大して示す拡大図であり、図７（Ａ）は、図６（Ｄ）の境界ブロックを矢印ＶＩＩＡの方向に見た拡大図、図７（Ｂ）は、図７（Ａ）の境界ブロックを矢印ＶＩＩＢの方向に見た拡大図である。
【図８】図８は、本考案の第４実施形態に係る境界ブロックを示す概略図であり、図８（Ａ）は平面図、図８（Ｂ）は図８（Ａ）中の領域ＶＩＩＩＢを拡大して示す拡大図、図８（Ｃ）は図８（Ｂ）の境界ブロックを矢印ＶＩＩＩＣの方向に見た拡大図である。
【図９】図９（Ａ）〜（Ｃ）は、複数の従来例による境界ブロックを模式的に表した断面図である。
【考案を実施するための形態】
【００１６】
（第１実施形態）
図１を参照して、本考案の第１実施形態に係るブロックを説明する。
本実施形態に係るブロックはコンクリート製の境界ブロック１であり、図１（Ａ）は正面図、図１（Ｂ）は境界ブロック１を図１（Ａ）中の矢印ＩＢの方向に見た平面図、図１（Ｃ）は境界ブロック１を図１（Ａ）中の一点鎖線ＩＣ−ＩＣに沿って表した断面図である。図１（Ｃ）における上下方向は、境界ブロック１を実際に使用する際の上下方向と略同じである。
【００１７】
境界ブロック１の実際の使用状態では、境界ブロック１の図１（Ｃ）中の左側の側面（第１側面１０とする）は、アスファルトもしくはアスファルトコンクリート等の舗装材からなる歩道や車道等の舗装構造物との突き当て面として機能する。第１側面１０と反対側の第２側面２０の側に構築される構造物は任意であるが、ここでは舗装構造物であるとする。境界ブロック１は、第１、第２側面１０、２０と交差する面である一対の連結面３０を有する。これらの連結面３０は、複数の境界ブロック１を長手方向に並べて設置する際に向かい合わせとなる面である。
【００１８】
境界ブロック１の上面は、第１側面１０側の第１天面４０と、第２側面２０側の第２天面５０を有し、それらは中間面６０によって接続されている。本実施形態においては、第１天面４０が第２天面５０よりも高くなっている。第１側面１０に接する舗装構造物は、図中の矢印ａによって示される高さ（即ち、第１天面４０と略同じ高さ）となるように形成される。一方、第２側面２０に接する舗装構造物は、図中の矢印ｂによって示される高さ（即ち、第２天面５０と略同じ高さ）となるように形成される。
【００１９】
第１側面１０上には、境界ブロック１の設置状態において上方向を向く段差面７０が備えられている。図１（Ｄ）は、図１（Ｃ）中の領域ＩＤを拡大して示す拡大断面図である。図１（Ｃ）、（Ｄ）に示すように、第１側面１０は、その上端部付近から下向きに延びる側面部分に境界ブロックの脱型勾配のある上方側面部分１１と、第１側面１０の下端部付近から上向きに延びる側面部分である下方側面部分１２を有する。段差面７０は、境界ブロック１の設置姿勢において、上方側面部分１１の下端部から略水平方向に延びる第１略水平部分７１と、第１略水平部分７１の、上方側面部分１１とは反対側の端部から斜め上方向へ延びる斜面部分７２と、斜面部分７２の、第１略水平部分７１とは反対側の端部から略水平方向に延び、下方側面部分１２の上端部に接続する第２略水平部分７３とを備える。
【００２０】
このような構成とすることにより、たとえ舗装構造物と上方側面部分１１の間に隙間が発生し、その隙間に雑草の種子や雨水等が入り込み、種子から根が発生し、根が上方側面部分１１から第１略水平部分７１に沿って成長したとしても、斜面部分７２が第１略水平部分７１との境界から斜め上方にせり上がっているため、当該境界より上方向への根の伸長が抑制され、結果として、雑草の成長を効果的に抑制し、根、ひいては雑草を枯らすことができる。即ち、防草効果を好適に発揮することができる。しかも、段差面７０は鋭角部や尖頭部、あるいは凸状部を有さないことから、欠損の発生を抑制することができ、しかも製造が明らかに容易である。
【００２１】
境界ブロック１の設置姿勢において、斜面部分７２が鉛直方向となす角度（図１（Ｄ）中のθで表す角度）を２度から７５度の範囲内とすることにより、製造工程において型枠から抜き出し易いために製造が比較的容易であり、かつ、設置後は防草効果を好適に発揮することができる。
【００２２】
（第２実施形態）
図２に本考案の第２実施形態による境界ブロック１０１を示す。図２（Ａ）は、境界ブロック１０１の断面図であり、図２（Ｂ）は図２（Ａ）中の領域ＩＩＢの拡大断面図である。
第２実施形態が第１実施形態と異なる点は、段差面７０が、第１側面１０の、より低い位置に形成されている点である。第２実施形態の境界ブロック１０１においては、第１側面１０側の舗装構造物は、図中の矢印ｃによって示される高さ（即ち、段差面７０よりやや上の高さ）となるように形成される。
【００２３】
（変形例）
上記の各実施形態においては、境界ブロック１、１０１の片側の面（即ち、第１側面１０）にのみ段差面７０を設けたが、両側の面（即ち、第１、第２側面１０、２０）に段差面７０を設けても良い。
上記の各実施形態においては、境界ブロック１、１０１の上面は第１天面４０と第２天面５０を有し、これらを中間面６０で接続する構成とした。しかしながら、これらの構成は必須のものではなく、例えば、境界ブロック１、１０１の上面を単一の平面とするなど、必要に応じて任意の形状とすることができる。その他、境界ブロック１、１０１の全体的な形状を水平方向においてカーブした形状とするなど、本考案を実施できる範囲内で任意の形状を採用することができる。
【００２４】
また、上記の説明においては本考案に係るブロックを境界ブロックとして説明したが、これに限定されず、他の構造物、例えば、側溝ブロック、擁壁ブロック、ボックスカルバート等として実施することも可能である。
例えば、図３は、本考案の上記各実施形態の一つの変形例として、側溝ブロック２０１に本考案を適用した例を示す概略図である。図３（Ａ）は断面図であり、図３（Ｂ）は図３（Ａ）中の領域ＩＩＩＢを拡大して表す拡大断面図である。
また、図４は、本考案の上記各実施形態の別の変形例として、擁壁ブロック３０１に本考案を適用した例を示す概略図である。図４（Ａ）は当該擁壁ブロック３０１を設置した状態における断面図であり、図４（Ｂ）は図４（Ａ）中の領域ＩＶＢを拡大して表す拡大断面図である。図４の擁壁ブロック３０１は、図示するように、略鉛直方向に積み上げられる構成となっている。
また、図５は、本考案の上記各実施形態の更に別の変形例として、擁壁ブロック４０１に本考案を適用した例を示す概略図である。図５（Ａ）は設置状態における断面図であり、図５（Ｂ）は図５（Ａ）中の領域ＶＢを拡大して表す拡大断面図である。図５の擁壁ブロック４０１は、図示するように、鉛直方向に対して斜めに積み上げられる構成となっている。
これらの変形例によるブロック２０１、３０１、４０１はいずれも、上記各実施形態と同様の構成を有する段差面７０を備えている。そのため、これらの変形例によるブロック２０１、３０１、４０１も、上述したような、本考案の優れた防草効果を奏することができ、かつ、段差面７０の脱型が容易である。
【００２５】
（第３実施形態）
図６は、本考案の第３実施形態に係る境界ブロック１’を示す。図６（Ａ）は正面図、図６（Ｂ）は図６（Ａ）の境界ブロック１’を矢印ＶＩＢの方向に見た平面図、図６（Ｃ）は図６（Ａ）の境界ブロック１’を矢印ＶＩＣの方向に見た側面図である。
本実施形態に係る境界ブロック１’が第１実施形態に係る境界ブロック１と異なる点は、段差面７０の一部に水抜き面７４を形成した点である。そこで、以下においては、第１実施形態と異なる点についてのみ説明する。
即ち、本実施形態の境界ブロック１’の段差面７０は、その一部において斜面部分７２、及び、第２略水平部分７３を欠くことにより、第１略水平部分７１と下方側面部分１２の両方に直接連続する水抜き面７４を有する構成となっている。図６に示す例においては、境界ブロック１’の長手方向の両端部に、それぞれ水抜き面７４が形成されている。図６（Ｄ）は図６（Ｃ）中の領域ＶＩＤを拡大して示す拡大図である。
【００２６】
図７（Ａ）は、図６（Ｄ）の境界ブロック１’を矢印ＶＩＩＡの方向に見た拡大図であり、図７（Ｂ）は、図７（Ａ）の境界ブロック１’を矢印ＶＩＩＢの方向に見た拡大図である。図示するように、水抜き面７４が形成されることで、水抜き面７４と、斜面部分７２、及び、第２略水平部分７３との間に、立設面８０が形成されることとなる。立設面８０は境界ブロック１’の略横断方向に拡がる面であり、側面３０から境界ブロック１’の長手方向に後退した面である。なお、立設面８０は、図７に示すように抜き勾配を備えるものとしても良い。
【００２７】
舗装構造物と上方側面部分１１の間に隙間が発生し、その隙間から雨水が浸入した場合、上方側面部分１１と、第１略水平部分７１と、斜面部分７２が形成する凹部に雨水が滞留し、雑草の根の発生や成長を助長してしまう可能性がある。そこで、上記した本実施形態の境界ブロック１’のように、段差面７０の一部において斜面部分７２、及び、第２略水平部分７３を欠いた水抜き面７４を備えることで、水抜き面７４を介して雨水の排水を促すことができる。これにより、雨水の滞留を抑制することができ、結果として、高い防草効果を奏することができる。
なお、境界ブロック１’の一例においては、境界ブロック１’の長手方向の長さが２０００ｍｍであり、各水抜き面７４の幅（図７（Ａ）の左右方向の幅）が２．５ｍｍである。
【００２８】
また、水抜き面７４は、第１略水平部分７１の側から下方側面部分１２の側へ向かう方向に下る勾配を有するものとすることが好ましい。このような構成とすることで、より雨水の排水を促し、雨水の滞留を抑制することができる。例として、水抜き面７４は約２％の勾配を有する。
なお、図７においては、第１略水平部分７１と水抜き面７４が明確な境界を有するように図示したが、これに限らず、第１略水平部分７１と水抜き面７４が滑らかに連続していても良い。
【００２９】
（第４実施形態）
図８は、本考案の第４実施形態に係る境界ブロック１’’を示す図であり、図８（Ａ）は平面図、図８（Ｂ）は図８（Ａ）中の領域ＶＩＩＩＢを拡大して示す拡大図、図８（Ｃ）は図８（Ｂ）の境界ブロック１’’を矢印ＶＩＩＩＣの方向に見た拡大図である。ただし、図８（Ｃ）の上下方向は、境界ブロック１’’を実際に設置した場合の上下方向とした。
第３実施形態においては水抜き面７４を境界ブロック１’の両端部にのみ形成したが、第４実施形態のように、更に境界ブロック１’’の長手方向の略中心部に設けても良い。図８の例においては、境界ブロック１’’の長手方向の長さを２０００ｍｍ、長手方向の両端部に設けた水抜き面７４の幅を第３実施形態と同じくそれぞれ２．５ｍｍとし、長手方向の略中心部に設けた水抜き面７４の幅（図８（Ｂ）の左右方向の幅）を５ｍｍとした。
その他、水抜き面７４を境界ブロックの長手方向のいずれかの端部にのみ設けたり、略中心部にのみ設けたり、あるいは一つの境界ブロックに対して３箇所以上の任意の箇所に水抜き面７４を設けても良い。このように、水抜き面７４の形成箇所及び個数は任意である。
【００３０】
上記の各実施形態及び各変形例を組み合わせて実施することも可能である。特に、第３実施形態や第４実施形態の水抜き面７４を、第２実施形態の境界ブロック１０１や、第１及び第２実施形態の変形例である側溝ブロック２０１や擁壁ブロック３０１、４０１に適用しても良い。
【００３１】
本考案は、前記各局面、前記各実施形態、及び前記各変形例の説明に何ら限定されるものではない。実用新案登録請求の範囲の記載を逸脱せず、当業者が容易に想到できる範囲で種々の変形態様も本考案に含まれる。
【符号の説明】
【００３２】
１、１０１  境界ブロック
１０  第１側面
１１  上方側面部分
１２  下方側面部分
７０  段差面
７１  第１略水平部分
７２  斜面部分
７３  第２略水平部分
７４  水抜き面
２０１  側溝ブロック
３０１、４０１  擁壁ブロック
【図１】
0003182345.tif 000003
【図２】
0003182345.tif 000004
【図３】
0003182345.tif 000005
【図４】
0003182345.tif 000006
【図５】
0003182345.tif 000007
【図６】
0003182345.tif 000008
【図７】
0003182345.tif 000009
【図８】
0003182345.tif 000010
【図９】
0003182345.tif 000011